Podtech/llm-jp-corpus-v4-ja_patent huggingface dataset:
【手続補正書】
【提出日】平成16年12月3日(2004.12.3)
【手続補正１】
【補正対象書類名】明細書
【補正対象項目名】００１８
【補正方法】変更
【補正の内容】
【００１８】
ナイフビーム上方部分３４Ａの下端部にはナイフビーム下方部分３４Ｂの上端部を受け入れることのできる縦溝３４Ｃと、この縦溝３４Ｃを挟んで形成された二つのピン挿入孔３６Ａ、３６Ｂとを備えている。一方、ナイフビーム下方部分３４Ｂの上端部には２つのピン貫通孔３８Ａ、３８Ｂが形成されている。作業時には、図５及び図６に示すように、ナイフビーム上方部分３４Ａの縦溝にナイフビーム下方部分３４Ｂの上端部を嵌合して、回転軸となるピン３２Ａとシェアピン３２Ｂとの２本のピンを二つの挿入孔及び貫通孔に差し込んで、ナイフビーム上方部分３４Ａとナイフビーム下方部分３４Ｂとを連結する。


【手続補正２】
【補正対象書類名】明細書
【補正対象項目名】００１９
【補正方法】変更
【補正の内容】
【００１９】
図６は本実施形態によるサブソイラ付きロータリ作業機の通常の作業状態を示している。このサブソイラ３のチゼル３５に障害物が当たってチゼル３５に大きな力がかると、シェアピン３２Ｂがせん断され、図７に示すように、チゼル３５は回転軸のピン３２Ａを中心に後方に回動して障害物を乗り越える。その結果、片持ち梁状に支持部材３１に取り付けられてナラシ板１３の長孔１４（図２）を通過しているナイフビーム上方部分３４Ａは長孔１４のなかでほとんど移動することがないので、ナイフビーム上方部分３４Ａが長孔１４の範囲を越えてナラシ板１３に当たって、ナラシ板１３を変形させるおそれはなくなる。
【手続補正書】
【提出日】平成17年6月2日(2005.6.2)
【手続補正１】
【補正対象書類名】明細書
【補正対象項目名】特許請求の範囲
【補正方法】変更
【補正の内容】
【特許請求の範囲】
【請求項１】
デモザイク処理されたデジタル画像を処理して、カラーエイリアジングのアーティファクトを低減するデジタル画像システムであって、該デモザイク処理された画像はカラープレーンを含んでおり、該システムは、
前記デモザイク処理されたデジタル画像の前記カラープレーンのそれぞれについて、近似信号および詳細信号を含むウェーブレット変換を計算するウェーブレット変換器と、
前記カラープレーンのそれぞれについて設けられた一組の逆ウェーブレット変換器であって、該カラープレーンのうちの該一組の逆ウェーブレット変換器に関連するカラープレーンの前記近似信号と、該カラープレーンのうちの第１の異なるカラープレーンの前記詳細信号とを用いて、第１の詳細逆ウェーブレット変換を計算し、前記関連するカラープレーンの前記近似信号と、前記カラープレーンのうちの第２の異なるカラープレーンの前記詳細信号とを用いて、第２の詳細逆ウェーブレット変換を計算し、前記関連するカラープレーンの前記近似信号および前記詳細信号を用いて、近似逆ウェーブレット変換を計算する、逆ウェーブレット変換器と、
前記カラープレーンのそれぞれについて設けられ、前記一組の逆ウェーブレット変換器に接続された結合器であって、前記近似逆ウェーブレット変換と、前記第１および第２の詳細逆ウェーブレット変換とを結合して、前記カラープレーンの、相関されたカラープレーンを生成する結合器と、
を備える、デジタル画像システム。
【請求項２】
前記近似逆ウェーブレット変換の結果のそれぞれ、および、前記第１および第２の詳細逆ウェーブレット変換の結果のそれぞれは、入力マトリクスとして表され、
前記結合器のそれぞれは、前記入力マトリクスのそれぞれから値を選択して、関連する前記相関されたカラープレーンに対応する出力マトリクスを生成し、
前記出力マトリクスは、前記関連するカラープレーンのオリジナルの値を維持し、かつ該関連するカラープレーンの修正された補間値を含む、
請求項１に記載のデジタル画像システム。
【請求項３】
さらに、
前記相関されたカラープレーンを前記結合器から受け取り、ウェーブレットベースの画像圧縮方法を用いて該相関されたカラープレーンを圧縮し、圧縮画像を生成する、ウェーブレットベースの画像圧縮器を備える、
請求項１に記載のデジタル画像システム。
【請求項４】
前記ウェーブレットベースの画像圧縮器は、ＪＰＥＧ２０００規格の画像圧縮器である、
請求項３に記載のデジタル画像システム。
【請求項５】
さらに、
前記圧縮画像を受け取り、該圧縮画像を復元することによって、非可逆の相関されたカラープレーンを生成する、ウェーブレットベースの画像復元器を備える、
請求項３に記載のデジタル画像システム。
【請求項６】
前記ウェーブレット変換器は、赤近似信号および赤詳細信号を生成する赤ウェーブレット変換器と、緑近似信号および緑詳細信号を生成する緑ウェーブレット変換器と、青近似信号および青詳細信号を生成する青ウェーブレット変換器と、を備える、
請求項１に記載のデジタル画像システム。
【請求項７】
前記一組の逆ウェーブレット変換器のうちの第１のサブセットは、前記赤ウェーブレット変換器から前記赤近似信号および前記青ウェーブレット変換器から前記青詳細信号を受け取って赤／青カラープレーンを生成する赤／青逆ウェーブレット変換器と、前記緑ウェーブレット変換器から前記緑近似信号および前記青ウェーブレット変換器から前記青詳細信号を受け取って緑／青カラープレーンを生成する緑／青逆ウェーブレット変換器と、前記青ウェーブレット変換器から前記青近似信号および前記赤ウェーブレット変換器から前記赤詳細信号を受け取って青／赤カラープレーンを生成する青／赤逆ウェーブレット変換器と、を備える、
請求項６に記載のデジタル画像システム。
【請求項８】
前記一組の逆ウェーブレット変換器のうちの第２のサブセットは、前記赤ウェーブレット変換器から前記赤近似信号および前記緑ウェーブレット変換器から前記緑詳細信号を受け取って赤／緑カラープレーンを生成する赤／緑逆ウェーブレット変換器と、前記緑ウェーブレット変換器から前記緑近似信号および前記赤ウェーブレット変換器から前記赤詳細信号を受け取って緑／赤カラープレーンを生成する緑／赤逆ウェーブレット変換器と、前記青ウェーブレット変換器から前記青近似信号および前記緑ウェーブレット変換器から前記緑詳細信号を受け取って青／緑カラープレーンを生成する青／緑逆ウェーブレット変換器と、を備える、
請求項７に記載のデジタル画像システム。
【請求項９】
前記一組の逆ウェーブレット変換器のうちの第３のサブセットは、前記赤ウェーブレット変換器から前記赤近似信号および前記赤詳細信号を受け取って赤カラープレーンを再生成する赤逆ウェーブレット変換器と、前記緑ウェーブレット変換器から前記緑近似信号と前記緑詳細信号を受け取って緑カラープレーンを再生成する緑逆ウェーブレット変換器と、前記青ウェーブレット変換器から前記青近似信号および前記青詳細信号を受け取って青カラープレーンを再生成する青逆ウェーブレット変換器と、を備える、
請求項８に記載のデジタル画像システム。
【請求項１０】
前記結合器は、前記赤／青カラープレーンと、前記赤／緑カラープレーンと、前記赤カラープレーンとを結合して、相関された赤カラープレーンを生成する赤結合器と、前記緑／赤カラープレーンと、前記緑／青カラープレーンと、前記緑カラープレーンとを結合して、相関された緑カラープレーンを生成する緑結合器と、前記青／赤カラープレーンと、前記青／緑カラープレーンと、前記青カラープレーンとを結合して、相関された青カラープレーンを生成する青結合器と、を備える、
請求項９に記載のデジタル画像システム。
【手続補正書】
【提出日】平成16年4月13日(2004.4.13)
【手続補正１】
【補正対象書類名】明細書
【補正対象項目名】特許請求の範囲
【補正方法】変更
【補正の内容】
【特許請求の範囲】
【請求項１】
三角波状の基準波を出力する基準波発生回路と、入力アナログ信号のレベルを検出するレベル検出器と、該レベル検出器がレベルを検出した入力アナログ信号を遅延して可変増幅器に供給する遅延回路と、前記レベル検出器が検出した入力アナログ信号のレベルに基づき前記遅延回路から出力される基準波の振幅を調整する可変増幅器と、前記入力アナログ信号と前記可変増幅器の出力信号とを比較してパルス幅変調信号を出力するコンパレータと、該コンパレータが出力するパルス幅変調信号を平滑するフィルター回路を備え、前記遅延回路の時定数は入力アナログ信号のレベルが増加するとき小さく、入力アナログ信号のレベルが減少するとき大きいことを特徴とするデジタルアンプ。
【請求項２】
三角波状の基準波を出力する基準波発生回路と、入力アナログ信号のレベルを検出するレベル検出器と、該レベル検出器がレベルを検出した入力アナログ信号を遅延して可変増幅器に供給する遅延回路と、前記レベル検出器が検出した入力アナログ信号のレベルに基づき前記遅延回路から出力される基準波の振幅を調整する減衰率可変のアッテネータと、前記入力アナログ信号と前記可変増幅器の出力信号とを比較してパルス幅変調信号を出力するコンパレータと、該コンパレータが出力するパルス幅変調信号を平滑するフィルター回路を備え、前記遅延回路の時定数は入力アナログ信号のレベルが増加するとき小さく、入力アナログ信号のレベルが減少するとき大きいことを特徴とするデジタルアンプ。
【請求項３】
請求項１または請求項２の何れか１項に記載したデジタルアンプにおいて、前記レベル検出器は、検出した入力アナログ信号のレベルに応じて、複数の出力レベルから選択した１つのレベルのレベル検出信号を出力することを特徴とするデジタルアンプ。
【手続補正２】
【補正対象書類名】明細書
【補正対象項目名】０００９
【補正方法】変更
【補正の内容】
【０００９】
三角波状の基準波を出力する基準波発生回路と、入力アナログ信号のレベルを検出するレベル検出器と、該レベル検出器がレベルを検出した入力アナログ信号を遅延して可変増幅器に供給する遅延回路と、前記レベル検出器が検出した入力アナログ信号のレベルに基づき前記遅延回路から出力される基準波の振幅を調整する可変増幅器と、前記入力アナログ信号と前記可変増幅器の出力信号とを比較してパルス幅変調信号を出力するコンパレータと、該コンパレータが出力するパルス幅変調信号を平滑するフィルター回路を備え、前記遅延回路の時定数は入力アナログ信号のレベルが増加するとき小さく、入力アナログ信号のレベルが減少するとき大きい。


【手続補正３】
【補正対象書類名】明細書
【補正対象項目名】００１０
【補正方法】変更
【補正の内容】
【００１０】
【発明の実施の形態】
図１は、本発明の第１の実施形態にかかるデジタルアンプを示す。図において、１はアナログ信号を入力するアナログ信号入力端子、２はアナログ信号の入力レベルを調整する可変抵抗器、３は入力アンプである。４１は信号レベル検出回路であり、アナログ信号のレベルを検出し、検出したレベルに応じて、数段階の出力レベルから選択した１つのレベルのレベル検出信号を出力する。４２は所定の時定数をもつタイミング回路（遅延回路）であり、アナログ信号の立ち上がり時には短時間の、立ち下がり時には長時間の時定数を有する。４３はＶＣＡ（ｖｏｌｔａｇｅ  ｃｏｎｔｒｏｌ  ａｍｐｌｉｆｉｅｒ）等の制御端子付きの可変増幅器であり、信号レベル検出回路４１の出力信号にしたがった増幅率で基準波発生回路５の出力を増幅する。５は鋸歯状波等の三角波からなる基準波を発生する基準波信号発生回路、６は入力アンプの出力信号１０１と基準信号１０２を比較して比較出力（ＰＷＭ信号）１０３を生成するコンパレータ、７はドライバ、８はスイッチングアンプであり、前記ＰＷＭ信号を増幅する。９はＬＰＦであり、ノイズを除去して増幅された前記アナログ入力信号を出力し、スピーカ１０を駆動する。


【手続補正４】
【補正対象書類名】明細書
【補正対象項目名】００１５
【補正方法】変更
【補正の内容】
【００１５】
いま、図２（ａ）に示すように、入力アナログ信号のレベルが１０１ｂであり、基準波信号１０２のレベルが１０２ｂである場合は、図２（ｂ）に示すＰＷＭ変調信号１０３ａを得ることができる。


【手続補正５】
【補正対象書類名】明細書
【補正対象項目名】符号の説明
【補正方法】変更
【補正の内容】
【符号の説明】
１  アナログ信号入力端子
２  可変抵抗器
３  入力アンプ
４  リミッタ
５  基準波発生回路
６  コンパレータ
７  ドライバ
８  スイッチングアンプ
９  ＬＰＦ
ｌ０  スピーカ
３０  全波整流回路
３８，３９  基準電圧源
４１  信号レベル検出回路
４１ａ  全波整流回路部
４１ｂ  信号レベル検出回路部
４２、５６、５７  タイミング回路
４３  可変増幅器
５１  信号レベル検出回路
５８  アッテネータ


【手続補正６】
【補正対象書類名】図面
【補正対象項目名】図１
【補正方法】変更
【補正の内容】
【図１】
2003046346.tif 000001
【手続補正７】
【補正対象書類名】図面
【補正対象項目名】図３
【補正方法】変更
【補正の内容】
【図３】
2003046346.tif 000002
【手続補正書】
【提出日】平成16年4月13日(2004.4.13)
【手続補正１】
【補正対象書類名】明細書
【補正対象項目名】００４６
【補正方法】変更
【補正の内容】
【００４６】
第３モードでは、ＤＳＰ１７は、第２モードと同一振幅のオフセット量加算パルスｃ１と、該オフセット量加算パルスと同一振幅で逆極性の補償パルスｃ２を生成し、これらの出力をＤ／Ａコンバータヘ出力する。また、ＤＳＰ３のＴ端子からは、前記オフセット量加算パルスｃ１と補償パルスｃ２をカバーする範囲の一定時間をＰＡＭ部分として生成し、この出力によりアナログスイッチを導通制御する。


【手続補正２】
【補正対象書類名】明細書
【補正対象項目名】００５０
【補正方法】変更
【補正の内容】
【００５０】
図７は、電力変換手段の出力電圧波形と電源電圧波形を示す図である。図７において、（１）ａ、（１）ｂはそれぞれ電力変換手段９の正側および負側の電源の電圧を示し、商用電源を降圧、整流した充放電波形である。また、（２）は電力変換手段９の出力電圧の波形を示す。図に示すように零を中心に正、および負にスイングするパルス波形である。（２）に示す正側および負側の包絡線はそれぞれ電源電圧（１）ａ、および（１）ｂに接することなく内側にある。すなわち、電力変換手段９が非飽和で動作していることを示している。
【手続補正書】
【提出日】平成16年4月1日(2004.4.1)
【手続補正１】
【補正対象書類名】明細書
【補正対象項目名】００４９
【補正方法】変更
【補正の内容】
【００４９】
上記したＳ５４，Ｓ５５からなる一連の動作は、３回繰り返され（Ｓ５６：ＹＥＳ）、これにより、Ｓ５２の減少分と合わせて音量レベルが４ステップ繰り下がることとなる。その後、キーリピートタイマには、たとえば１６０ｍｓとした長押し時間間隔が設定され、このキーリピートタイマによる計時がスタートし（Ｓ５７）、ボリュームダウンキー２Ｂの入力チェックが終わる。この１６０ｍｓとした長押し時間間隔も、先述したのと同様に、連打に続いて長押し状態とされたか否かを判断するために用いられるものである。つまり、連打に続いて１６０ｍｓ以上長押し状態とすると、その直後から音量レベルが連続的に減少することとなる。
【手続補正書】
【提出日】平成17年4月11日(2005.4.11)
【手続補正１】
【補正対象書類名】明細書
【補正対象項目名】特許請求の範囲
【補正方法】変更
【補正の内容】
【特許請求の範囲】
【請求項１】
表示部と、アンテナと、前記アンテナを介して外部送受信装置に対して非接触データ通信を行うための送受信手段と、前記表示部及び送受信手段を収容するケース体と、を有し、
前記アンテナが前記ケース体の底部内面から離反した位置に配置されており、前記アンテナが前記ケース体の厚さ方向の中心位置よりも前記表示部の側に配置されていることを特徴とする非接触データ通信機能を備えた腕装着型電子機器。
【請求項２】
前記表示部内に配置された表示板を有し、前記アンテナが表示板の表面上若しくは裏面上に配置されていることを特徴とする請求項１に記載の非接触データ通信機能を備えた腕装着型電子機器。
【請求項３】
表示体を含む表示部と、アンテナと、前記アンテナを介して外部送受信装置に対して非接触データ通信を行うための送受信手段と、前記表示体を実装した回路基板と、を有し、
前記アンテナが前記回路基板の表面上若しくは裏面上又はこれらよりも視認側に配置されていることを特徴とする非接触データ通信機能を備えた腕装着型電子機器。
【請求項４】
前記表示部は、時間情報を表示する時間表示部であることを特徴とする請求項１乃至請求項３のいずれか１項に記載の非接触データ通信機能を備えた腕装着型電子機器。
【請求項５】
情報を処理し前記表示部に表示させる情報表示処理部を有し、前記情報表示処理部は、前記送受信手段によって受信されたデータ又は前記送受信手段によって送信されるデータを前記表示部に表示させ、或いは、前記いずれかのデータに処理を施して前記表示部に表示させるように構成されていることを特徴とする請求項１乃至請求項４のいずれか１項に記載の非接触データ通信機能を備えた腕装着型電子機器。
【請求項６】
表示部と、アンテナと、前記アンテナを介して外部送受信装置に対して非接触データ通信を行うための送受信手段と、情報を処理し前記表示部に表示させる情報表示処理部と、前記情報表示処理部に所定動作をさせるための外部操作部材と、前記外部操作部材と前記情報表示処理部とを連結する操作軸と、を有し、
前記アンテナが前記操作軸よりも前記表示部の側に配置されていることを特徴とする非接触データ通信機能を備えた腕装着型電子機器。
【請求項７】
前記アンテナはループアンテナであることを特徴とする請求項１又は請求項６に記載の非接触データ通信機能を備えた腕装着型電子機器。
【請求項８】
前記アンテナのループ形の内側に、前記情報表示処理部が配置されていることを特徴とする請求項７に記載の非接触データ通信機能を備えた腕装着型電子機器。
【請求項９】
前記アンテナは基板上に構成されていることを特徴とする請求項１乃至請求項８のいずれか１項に記載の非接触データ通信機能を備えた腕装着型電子機器。
【請求項１０】
前記基板は環状に構成され、前記基板は、前記情報表示処理部を取巻くように配置されていることを特徴とする請求項９に記載の非接触データ通信機能を備えた腕装着型電子機器。
【請求項１１】
前記基板には前記情報表示処理部が構成されていることを特徴とする請求項９に記載の非接触データ通信機能を備えた腕装着型電子機器。
【請求項１２】
前記基板上には送受信手段が構成され、該送受信手段は、前記操作軸と平面的に重なる領域以外の領域に構成されていることを特徴とする請求項９に記載の非接触データ通信機能を備えた腕装着型電子機器。
【請求項１３】
請求項１乃至請求項１２のいずれか１項に記載の非接触データ通信機能を備えた腕装着型電子機器と、該腕装着型電子機器と通信可能な外部送受信装置とを有することを特徴とする非接触データ通信システム。
【手続補正２】
【補正対象書類名】明細書
【補正対象項目名】００１１
【補正方法】変更
【補正の内容】
【００１１】
【課題を解決するための手段】
上記課題を解決するために本発明の非接触データ通信機能を備えた腕装着型電
子機器は、表示部と、アンテナと、前記アンテナを介して外部送受信装置に対して非接触データ通信を行うための送受信手段と、前記表示部及び送受信手段を収容するケース体と、を有し、前記アンテナが前記ケース体の底部内面から離反した位置に配置されており、前記アンテナが前記ケース体の厚さ方向の中心位置よりも前記表示部の側に配置されていることを特徴とする非接触データ通信機能を備えたことを特徴とする。
【手続補正３】
【補正対象書類名】明細書
【補正対象項目名】００１４
【補正方法】削除
【補正の内容】
【手続補正書】
【提出日】平成16年12月6日(2004.12.6)
【手続補正１】
【補正対象書類名】明細書
【補正対象項目名】請求項１４
【補正方法】変更
【補正の内容】
【請求項１４】
前記電流ブロック層は、ＧａＮ基板上または基板上に形成されたＧａＮ層上のうちのいずれかに形成されており、
前記電流ブロック層は、ＧａＮより格子定数の小さい前記第２窒化物系半導体層を含む、請求項１〜１３のいずれか１項に記載の窒化物系半導体発光素子。
【手続補正２】
【補正対象書類名】明細書
【補正対象項目名】請求項１６
【補正方法】変更
【補正の内容】
【請求項１６】
前記電流ブロック層は、前記クラッド層を構成する前記第１窒化物系半導体層の格子定数より小さい格子定数を有する前記第２窒化物系半導体層を含む、請求項１〜１５のいずれか１項に記載の窒化物系半導体発光素子。
【手続補正３】
【補正対象書類名】明細書
【補正対象項目名】００２３
【補正方法】変更
【補正の内容】
【００２３】
また、上記第１または第２の局面による窒化物系半導体発光素子において、好ましくは、電流ブロック層は、ＧａＮ基板上または基板上に形成されたＧａＮ層上のうちのいずれかに形成されており、電流ブロック層は、ＧａＮより格子定数の小さい第２窒化物系半導体層を含む。この場合、電流ブロック層とＧａＮとの格子定数の差に起因して電流ブロック層に加わる歪みを緩和することができるので、電流ブロック層にクラックや格子欠陥が発生するのを抑制することができる。その結果、電流ブロック層の格子定数を小さくしたり、または、電流ブロック層の厚みを大きくすることができるので、横方向の光閉じ込めを安定化することができる。たとえば、ＧａＮより格子定数の小さい窒化物系半導体層としてＡｌＧａＮを、電流ブロック層は含んでいてもよい。その結果、ＡｌＧａＮのＡｌ組成を高くすることができるので、横方向の光閉じ込めを安定化することができる。
【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】
不揮発性メモリトランジスタを配列したセルアレイと、第１のＭＩＳＦＥＴ及びこれより低電圧で駆動される第２のＭＩＳＦＥＴを含む周辺回路とを有する半導体メモリ装置の製造方法であって、
半導体基板に、前記第１のＭＩＳＦＥＴに用いられる第１のゲート絶縁膜を形成する工程と、
前記第１のゲート絶縁膜を選択的にエッチングして、前記セルアレイの領域で前記半導体基板を露出させる工程と、
露出した前記半導体基板に、前記不揮発性メモリトランジスタのトンネル絶縁膜となる第２のゲート絶縁膜を形成する工程と、
前記第１及び第２のゲート絶縁膜上に第１のゲート電極材料膜を堆積する工程と、
前記第１のゲート電極材料膜及びその下の前記第１のゲート絶縁膜を選択的にエッチングして、前記第２のＭＩＳＦＥＴの領域で前記半導体基板を露出させる工程と、
露出した前記半導体基板に前記第２のＭＩＳＦＥＴに用いられる、前記第２のゲート絶縁膜より薄い第３のゲート絶縁膜を形成する工程と、
前記第３のゲート絶縁膜上に第２のゲート電極材料膜を堆積する工程と、
前記第１及び第２のゲート電極材料膜を含んで前記メモリトランジスタ、第１及び第２のＭＩＳＦＥＴのゲートを形成する工程と
を有することを特徴とする半導体メモリ装置の製造方法。
【請求項２】
不揮発性メモリトランジスタを配列したセルアレイと、第１のＭＩＳＦＥＴ及びこれより低電圧で駆動される第２のＭＩＳＦＥＴを含む周辺回路とを有する半導体メモリ装置の製造方法であって、
半導体基板に、前記第１のＭＩＳＦＥＴに用いられる第１のゲート絶縁膜を形成する工程と、
前記第１のゲート絶縁膜を選択的にエッチングして、前記第２のＭＩＳＦＥＴの領域で前記半導体基板を露出させる工程と、
露出した前記半導体基板に前記第１のゲート絶縁膜より薄い前記第２のＭＩＳＦＥＴに用いられる第２のゲート絶縁膜を形成する工程と、
前記第１及び第２のゲート絶縁膜上に第１のゲート電極材料膜を堆積する工程と、
前記第１のゲート電極材料膜及びその下の前記第１のゲート絶縁膜を選択的にエッチングして、前記セルアレイの領域で前記半導体基板を露出させる工程と、
露出した前記半導体基板に、前記不揮発性メモリトランジスタのトンネル絶縁膜となる前記第１のゲート絶縁膜より薄く前記第２のゲート絶縁膜より厚い第３のゲート絶縁膜を形成する工程と、
前記第３のゲート絶縁膜上に第２のゲート電極材料膜を堆積する工程と、
前記第１及び第２のゲート電極材料膜を含んで前記メモリトランジスタ、第１及び第２のＭＩＳＦＥＴのゲートを形成する工程と
を有することを特徴とする半導体メモリ装置の製造方法。
【請求項３】
前記第２のゲート電極材料膜を堆積した後、素子分離領域に前記第２のゲート電極材料膜から前記半導体基板の所定深さに達する溝を形成する工程と、
前記溝に素子分離絶縁膜を埋め込む工程と、
前記第１及び第２のゲート電極材料膜に重なる第３のゲート電極材料膜、不揮発性メモリトランジスタのゲート間絶縁膜、及び第４のゲート電極材料膜を積層形成する工程とを有し、
前記第１，第２のＭＩＳＦＥＴ及び不揮発性メモリトランジスタのゲートは、前記第１乃至第４のゲート電極材料膜を選択エッチングして同時に形成される
ことを特徴とする請求項１又は２記載の半導体メモリ装置の製造方法。
【請求項４】
前記第１のゲート絶縁膜を選択エッチングするためのレジストマスクが形成された状態で、前記セルアレイの領域に前記第１のゲート絶縁膜を介してしきい値調整のためのイオン注入を行う工程を有する
ことを特徴とする請求項１記載の半導体メモリ装置の製造方法。
【請求項５】
前記第１のゲート電極材料膜及びその下の前記第１のゲート絶縁膜を除去するためのレジストマスクが形成された状態で、前記セルアレイの領域に前記第１のゲート電極材料膜を介してしきい値調整のためのイオン注入を行う工程を有する
ことを特徴とする請求項２記載の半導体メモリ装置の製造方法。
【手続補正２】
【補正対象書類名】明細書
【補正対象項目名】００１２
【補正方法】変更
【補正の内容】
【００１２】
【課題を解決するための手段】
この発明は、不揮発性メモリトランジスタを配列したセルアレイと、第１のＭＩＳＦＥＴ（高電圧系ＭＩＳＦＥＴ）及びこれより低電圧で駆動される第２のＭＩＳＦＥＴ（低電圧系ＭＩＳＦＥＴ）を含む周辺回路とを有する半導体メモリ装置の製造方法であって、半導体基板に、前記第１のＭＩＳＦＥＴに用いられる第１のゲート絶縁膜を形成する工程と、前記第１のゲート絶縁膜を選択的にエッチングして、前記セルアレイの領域で前記半導体基板を露出させる工程と、露出した前記半導体基板に、前記不揮発性メモリトランジスタのトンネル絶縁膜となる第２のゲート絶縁膜を形成する工程と、前記第１及び第２のゲート絶縁膜上に第１のゲート電極材料膜を堆積する工程と、前記第１のゲート電極材料膜及びその下の前記第１のゲート絶縁膜を選択的にエッチングして、前記第２のＭＩＳＦＥＴの領域で前記半導体基板を露出させる工程と、露出した前記半導体基板に前記第２のＭＩＳＦＥＴに用いられる、前記第２のゲート絶縁膜より薄い第３のゲート絶縁膜を形成する工程と、前記第３のゲート絶縁膜上に第２のゲート電極材料膜を堆積する工程と、前記第１及び第２のゲート電極材料膜を含んで前記メモリトランジスタ、第１及び第２のＭＩＳＦＥＴのゲートを形成する工程と、を有することを特徴とする。
【手続補正３】
【補正対象書類名】明細書
【補正対象項目名】００１３
【補正方法】変更
【補正の内容】
【００１３】
この発明はまた、不揮発性メモリトランジスタを配列したセルアレイと、第１のＭＩＳＦＥＴ（高電圧系ＭＩＳＦＥＴ）及びこれより低電圧で駆動される第２のＭＩＳＦＥＴ（低電圧系ＭＩＳＦＥＴ）を含む周辺回路とを有する半導体メモリ装置の製造方法であって、半導体基板に、前記第１のＭＩＳＦＥＴに用いられる第１のゲート絶縁膜を形成する工程と、前記第１のゲート絶縁膜を選択的にエッチングして、前記第２のＭＩＳＦＥＴの領域で前記半導体基板を露出させる工程と、露出した前記半導体基板に前記第１のゲート絶縁膜より薄い前記第２のＭＩＳＦＥＴに用いられる第２のゲート絶縁膜を形成する工程と、前記第１及び第２のゲート絶縁膜上に第１のゲート電極材料膜を堆積する工程と、前記第１のゲート電極材料膜及びその下の前記第１のゲート絶縁膜を選択的にエッチングして、前記セルアレイの領域で前記半導体基板を露出させる工程と、露出した前記半導体基板に、前記不揮発性メモリトランジスタのトンネル絶縁膜となる前記第１のゲート絶縁膜より薄く前記第２のゲート絶縁膜より厚い第３のゲート絶縁膜を形成する工程と、前記第３のゲート絶縁膜上に第２のゲート電極材料膜を堆積する工程と、前記第１及び第２のゲート電極材料膜を含んで前記メモリトランジスタ、第１及び第２のＭＩＳＦＥＴのゲートを形成する工程と、を有することを特徴とする。
【手続補正書】
【提出日】平成17年6月10日(2005.6.10)
【手続補正１】
【補正対象書類名】明細書
【補正対象項目名】００１３
【補正方法】変更
【補正の内容】
【００１３】
ライン５は、個別信号および追加ビットのデータを搬送する複合信号をフレーム調整回路２８に供給する。フレーム調整回路２８は、複合信号のデータを最初に出力し、次に複合信号の回復クロック２５ａを出力する。回復クロック２５ａは、フレームの開始時および終了時を決定するために、フレームカウンタ２９で用いられる。デマルチプレクサ２７は複合信号２８ａのデータを受信し、それぞれの脱同期装置２６に適合する転送速度でデータ７１〜７４を供給するために、フレームカウンタ２９によって制御される。各個別データ出力２１，２２，２３，２４が信号の初期周波数と正確に同一の周波数を有するようにするために、補助クロック３２が、個々の脱同期装置２６の初期周波数または転送速度を再構成するために用いられる。
【手続補正書】
【提出日】平成17年5月20日(2005.5.20)
【手続補正１】
【補正対象書類名】明細書
【補正対象項目名】特許請求の範囲
【補正方法】変更
【補正の内容】
【特許請求の範囲】
【請求項１】
複数のアクセス端末とトランスポートネットワークの間の光情報トランスポートを多重化する方法において、
各グループ内の相異なる端末に対する情報を、そのグループに対するライトガイド内の光の相異なるタイムスロットおよび相異なる通信波長にわたり多重化して、それぞれ対応する１つのライトガイドを通じて前記アクセス端末のそれぞれのグループに対する情報を伝送する光をトランスポートするステップと、
前記トランスポートネットワークから前記ライトガイドへ情報を送る送信機、及び／又は、前記ライトガイドから前記トランスポートネットワークへ情報を送る送信機、を含むトランシーバを通じて、該ライトガイドと該トランスポートネットワークの間で情報を送受信するステップと、
前記各トランシーバが、相異なるタイムスロットにおいて、選択可能なライトガイドに対する情報を選択可能な通信波長で送受信するように、該トランシーバの使用を多重化するステップとを含むことを特徴とする、光情報トランスポートを多重化する方法。
【請求項２】
前記ライトガイドを、それぞれ１つの前記トランシーバに対応するそれぞれのクロスコネクト入出力と動的に相互接続するステップと、
前記各トランシーバに対するそれぞれの１つの通信波長を動的に選択し、該トランシーバとその対応する入出力との間で送受信される光から、選択された波長以外の波長の光成分をフィルタリングして除去するステップとを含むことを特徴とする請求項１に記載の光情報トランスポートを多重化する方法。
【請求項３】
使用される前記トランシーバの個数Ｌは、使用される前記ライトガイドの個数Ｎより小さいことを特徴とする請求項１に記載の光情報トランスポートを多重化する方法。
【請求項４】
トランスポートネットワークと、
複数のアクセス端末と、
各ライトガイドが、前記アクセス端末の対応する１つのグループを前記トランスポートネットワークに結合し、前記各グループ内の相異なるアクセス端末は、それぞれ相異なる通信波長の光によって伝送される情報を前記トランスポートネットワークとの間で送信及び／又は受信することができる、複数のライトガイドと、
前記ライトガイドと前記トランスポートネットワークの間にあり、それぞれ、該トランスポートネットワークから該ライトガイドへ情報を送る送信機、及び／又は、該ライトガイドから該トランスポートネットワークへ情報を送る送信機、を含む、複数のトランシーバと、
前記ライトガイドと前記トランシーバの間にあり、該各ライトガイドと、それぞれの選択可能なトランシーバの組合せとの間の光トランスポートのための選択可能なアクティブな結合を行うように構成され、いずれか１つの前記ライトガイドと前記各トランシーバとの間を同時にアクティブに結合することが可能であり、該１つのライトガイドとそれぞれのアクティブに結合されたトランシーバとの間の結合は、対応する１つの選択可能な通信波長で行われる、相互接続ユニットと、
前記アクセス端末のトランスポート容量要求に基づいて選択的に、結合を動的にアクティブにする制御ユニットとを有することを特徴とする通信ネットワーク。
【請求項５】
前記相互接続ユニットは、
前記各ライトガイドとそれぞれの選択可能な接続の組合せとの間の光トランスポートのための選択可能なアクティブな結合を行うように構成され、前記各結合はすべての通信波長を通過させ、前記各接続は対応する１つのトランシーバのために提供される、１つのサブユニットと、
前記各接続と、対応する１つのトランシーバとの間に設けられ、制御ユニットにより選択可能な１つの通信波長を通過させる、対応する１つのフィルタとを有することを特徴とする請求項４記載の通信ネットワーク。
【請求項６】
少なくとも１つの前記トランシーバは１つのトランシーバを含み、前記相互接続ユニットは、該少なくとも１つのトランシーバに対して、
前記各ライトガイドとそれぞれの選択可能な接続の組合せとの間の光トランスポートのための選択可能なアクティブな結合を行うように構成され、前記各結合はすべての通信波長を通過させ、前記各接続は対応する１つのトランシーバのために提供される、１つのサブユニットと、
前記サブユニットの接続の１つに結合した多重化接続と、個々の通信波長に対する分離化接続とを有する波長多重化ユニットと、
それぞれの波長に対する光源と、
対応する１つの光源と対応する１つの分離化接続との間にそれぞれあり、前記少なくとも１つのトランシーバに対する波長の選択、及び前記トランシーバによって前記アクセス端末に送られる情報とによって、制御される光スイッチとを有することを特徴とする請求項４記載の通信ネットワーク。
【請求項７】
前記相互接続ユニットは、
対応する１つのライトガイドに結合した多重化接続と、個々の通信波長に対する分離化接続とをそれぞれ有する第１波長多重化ユニットと、
対応する１つのトランシーバに結合した多重化接続と、個々の通信波長に対する分離化接続とをそれぞれ有する第２波長多重化ユニットと、
対応する１つの通信波長に対して、前記第１多重化ユニット及び前記第２多重化ユニットの分離化接続をそれぞれ結合する複数のサブ相互接続ユニットとを有することを特徴とする請求項４記載の通信ネットワーク。
【請求項８】
Ｌ個の前記トランシーバは、Ｎ個の前記ライトガイドから情報の受信のみを行い、該Ｎ個のライトガイドは、該Ｌ個のトランシーバへ光の送出のみを行い、ＬはＮより小さいことを特徴とする請求項４記載の通信ネットワーク。
【請求項９】
前記トランシーバは、アクセス端末から受信される情報をトランスポートネットワークのみにトランスポートするように構成され、前記通信ネットワークは、
トランスポートネットワークに接続され、トランスポートネットワークからの情報をアクセス端末のみに送信するトランシーバと、
前記ライトガイドと前記トランシーバとの間にあり、該各トランシーバから、対応する１つの選択可能なライトガイドへの光トランスポートのための選択可能なアクティブな結合を行うように構成された相互接続ユニットとをさらに有することを特徴とする請求項４記載の通信ネットワーク。
【請求項１０】
前記トランシーバから前記ライトガイドの組合せへのアクティブな結合は、対応する１つの選択可能な通信波長で行われることを特徴とする請求項９記載の通信ネットワーク。
【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
第１のユーザステーションからのアップリンクデータ通信を制御するための方法であって、
トラフィックデータサイズ情報、前記第１のユーザステーションの可能出力情報、及び逆方向リンク上のデータトラフィックの前記第１のユーザステーションで取得可能な電力を決定することができる情報を含む逆方向リンクデータトラフィックチャネルリクエストを受信するステップと、
逆方向トラフィックデータサイズ情報、前記第１のユーザステーションの可能出力情報及び逆方向リンク上のデータトラフィックの前記第１のユーザステーションで取得可能な電力を決定することができる情報を用いて、前記第１のユーザーステーションがデータを送信することができるレート、及び、前記第１のユーザステーションがデータを送信することができる一定の時間の双方を計算するステップと、ここで、前記レート及び時間はアップリンク上のリソースを最大化しながら干渉のレベルを制御するように計算され、
何時どのようなレートでデータを送信できるかという指示を含む情報を前記第１のユーザステーションに送信するステップと、
前記第１のユーザステーションによるデータ送信が予期できる他の複数のユーザステーションへ増加送信電力コマンドを送信するステップ
を含む方法。
【請求項２】
前記トラフィックデータサイズ情報、前記第１のユーザステーションの可能出力情報、及び逆方向リンク上のデータトラフィックの前記第１のユーザステーションで取得可能な電力を決定することができる情報が、同じチャネルで受信される
ことを特徴とする請求項１記載の方法。
【請求項３】
前記前記トラフィックデータサイズ情報、前記第１のユーザステーションの可能出力情報、及び逆方向リンク上のデータトラフィックの前記第１のユーザステーションで取得可能な電力を決定することができる情報が、複数のチャネルで受信される
ことを特徴とする請求項１記載の方法。
【請求項４】
前記複数のチャネルが、時間を使用して区別される
ことを特徴とする請求項３記載の方法。
【請求項５】
前記複数のチャネルが、ウォルシュコードを使用して区別される
ことを特徴とする請求項３記載の方法。
【請求項６】
逆方向リンク上のデータトラフィックの前記第１のユーザステーションでの電力を決定することができる前記情報が、逆方向パイロットチャネル送信電力情報を含む
ことを特徴とする請求項１記載の方法。
【請求項７】
前記第１のユーザステーションへ送信された情報が、データ送信のために第１のユーザステーションにより使用される送信レベルを更に含む
ことを特徴とする請求項１記載の方法。
【請求項８】
前記第１のユーザステーションへ送信された情報が、データ送信開始時間を更に含む
ことを特徴とする請求項１記載の方法。
【請求項９】
前記第１のユーザステーションへ送信された情報が、前記第１のユーザステーションのデータ送信期間を更に含む
ことを特徴とする請求項１記載の方法。
【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
情報を視覚的に表示する表示手段を備える第１の筐体と、動作用の電力を供給する第１のバッテリを備える第２の筐体とが回動自在に結合してなる移動無線端末装置において、
前記第１の筐体は、
無線通信に用いるアンテナと、
このアンテナを通じて無線通信を行う無線通信手段とを具備することを特徴とする移動無線端末装置。
【請求項２】
情報を視覚的に表示する表示手段を備える第１の筐体と、動作用の電力を供給する第１のバッテリを備える第２の筐体とが変動自在に結合してなる移動無線端末装置において、
前記第１の筐体は、
無線通信に用いるアンテナと、
このアンテナを通じて無線通信を行う無線通信手段とを具備することを特徴とする移動無線端末装置。
【請求項３】
情報を視覚的に表示する表示手段を備える第１の筐体と、動作用の電力を供給する第１のバッテリを備える第２の筐体とを有し、前記表示手段を覆う態様である第１の形態又は前記表示手段を開放する態様である第２の形態となるよう前記第２の筐体が前記第１の筐体に対して変動自在に結合してなる移動無線端末装置において、
前記第１の筐体は、
無線通信に用いるアンテナと、
このアンテナを通じて無線通信を行う無線通信手段とを具備することを特徴とする移動無線端末装置。
【請求項４】
前記第１の筐体は、外部のアンテナと前記無線通信手段とを電気的に接続するための第１の接続手段を備えることを特徴とする請求項１乃至請求項３のいずれかに記載の移動無線端末装置。
【請求項５】
前記第１の筐体は、ＧＰＳ（Global Positioning System）衛星からの信号を受信するＧＰＳ受信手段を備えることを特徴とする請求項１乃至請求項４のいずれかに記載の移動無線端末装置。
【請求項６】
前記第２の筐体は、電気的な接続によりデータ通信を行うための第２の接続手段を備えることを特徴とする請求項１乃至請求項４のいずれかに記載の移動無線端末装置。
【請求項７】
前記第２の筐体は、記録媒体を着脱し、この記録媒体から情報を読み出すための第３の接続手段を備えることを特徴とする請求項１乃至請求項４のいずれかに記載の移動無線端末装置。
【請求項８】
前記第１の筐体は、情報を記憶する記憶手段と、この記憶手段に記憶される情報を保持するために前記記憶手段に電力を供給する第２のバッテリとを備えることを特徴とする請求項１乃至請求項４のいずれかに記載の移動無線端末装置。
【手続補正書】
【提出日】平成17年6月14日(2005.6.14)
【手続補正１】
【補正対象書類名】明細書
【補正対象項目名】特許請求の範囲
【補正方法】変更
【補正の内容】
【特許請求の範囲】
【請求項１】
画像を撮影する撮像部と、
この撮像部の撮像用レンズを保護する開閉可能なレンズカバーと、
このレンズカバーが開放されたときカメラモードになり、閉じられたとき携帯電話モードになるように制御する制御部と
を備えたことを特徴とするカメラ付き携帯電話装置。
【請求項２】
携帯電話機能としての複数のモードを記憶するメモリと、
このメモリに記憶された複数のモードの中から予め１つのモードを選択する選択手段とを備え、
上記制御部は、上記カメラモードにおいて、上記予め選択された１つのモードで動作するように制御することを特徴とする請求項１に記載のカメラ付き携帯電話装置。
【請求項３】
さらに、操作部を備え、
上記制御部は、
上記携帯電話モードが上記カメラモードに切換えられたとき、上記携帯電話モードで使用する上記操作部の役割を、カメラモードで使用する上記操作部の役割に切換えることを特徴とする請求項１又は２に記載のカメラ付き携帯電話装置。
【請求項４】
上記レンズカバーの開が検出されて上記カメラモードになったとき、仮保存状態の画像があるかどうかを検索し、ある場合、使用者の選択により上記仮保存状態の画像を登録又は消去する手段を備えていることを特徴とする請求項１〜３のいずれか1項に記載のカメラ付き携帯電話装置。
【請求項５】
上記レンズカバーが開から閉になったとき、仮保存状態の画像があるかどうかを検索し、ある場合には、使用者の選択により上記仮保存状態の画像を登録又は消去する手段を備えていることを特徴とする請求項１〜４のいずれか１項に記載のカメラ付き携帯電話装置。
【請求項６】
上記記制御部は、上記レンズカバーが開放されたとき、上記カメラモードで、かつ、上記携帯電話機としての動作も可能な兼用モードが設定可能である請求項１〜５のいずれか１項に記載のカメラ付き携帯電話装置。
【手続補正２】
【補正対象書類名】明細書
【補正対象項目名】０００９
【補正方法】変更
【補正の内容】
【０００９】
【課題を解決するための手段】
この発明は、第１に、画像を撮影する撮像部と、この撮像部の撮像用レンズを保護する開閉可能なレンズカバーと、このレンズカバーが開放されたときカメラモードになり、閉じられたとき携帯電話モードになるように制御する制御部とを備えたことを特徴としている。
【手続補正３】
【補正対象書類名】明細書
【補正対象項目名】００１０
【補正方法】変更
【補正の内容】
【００１０】
これにより、レンズカバーの開閉状態を直接目で確認することで、誰でも撮影中であるか否かを確認することができ、カメラの撮影の際に他人の誤解を招いたり、不要な警戒心を抱かせる、といったことを防止できる。
【手続補正４】
【補正対象書類名】明細書
【補正対象項目名】００１１
【補正方法】変更
【補正の内容】
【００１１】
また、第２に、携帯電話機能としての複数のモードを記憶するメモリと、このメモリに記憶された複数のモードの中から予め１つのモードを選択する選択手段とを備え、上記制御部は、上記カメラモードにおいて、上記予め選択された１つのモードで動作するように制御するように構成するのが好ましい。
【手続補正５】
【補正対象書類名】明細書
【補正対象項目名】００１２
【補正方法】変更
【補正の内容】
【００１２】
また、第３に、さらに操作部を備え、上記制御部は、上記携帯電話モードが上記カメラモードに切換えられたとき、上記携帯電話モードで使用する上記操作部の役割を、カメラモードで使用する上記操作部の役割に切換えるように構成するのが好ましい。
【手続補正６】
【補正対象書類名】明細書
【補正対象項目名】００１３
【補正方法】変更
【補正の内容】
【００１３】
これにより、各モード機能の変更をレンズカバーの開閉動作に連動させることができるので、切換え操作を使用者が行う必要がなく、使い勝手が向上する。
【手続補正７】
【補正対象書類名】明細書
【補正対象項目名】００１４
【補正方法】変更
【補正の内容】
【００１４】
また、第４に、上記レンズカバーの開が検出されて上記カメラモードになったとき、仮保存状態の画像があるかどうかを検索し、ある場合、使用者の選択により上記仮保存状態の画像を登録又は消去する手段を備えているように構成するのが好ましい。
これにより、カメラモードに設定して撮影途中であっても、携帯電話の着信に素早く対応して受け応えができるとともに、携帯電話での使用に切換えた際に撮影していた画像を着信通話の終了後に、メモリに登録または消去することができる。
【手続補正８】
【補正対象書類名】明細書
【補正対象項目名】００１５
【補正方法】変更
【補正の内容】
【００１５】
また、第５に、上記レンズカバーが開から閉になったとき、仮保存状態の画像があるかどうかを検索し、ある場合には、使用者の選択により上記仮保存状態の画像を登録又は消去する手段を備えているように構成するのが好ましい。
これにより、カメラモードで使い勝手が良いという効果を有する。
【手続補正９】
【補正対象書類名】明細書
【補正対象項目名】００１６
【補正方法】変更
【補正の内容】
【００１６】
また、第６に、上記制御部は、前記レンズカバーが開放されたとき、上記カメラモードで、かつ、上記携帯電話機としての動作も可能な兼用モードが設定可能であるように構成するのが好ましい。
これにより、カメラモードで撮影中に着信・呼出がかかっても、撮影を一時中断していち早く通話に応じることができる、という効果を有する。
【手続補正書】
【提出日】平成16年9月17日(2004.9.17)
【手続補正１】
【補正対象書類名】明細書
【補正対象項目名】発明の名称
【補正方法】変更
【補正の内容】
【発明の名称】監視用カメラ装置及びワイパー
【手続補正２】
【補正対象書類名】明細書
【補正対象項目名】特許請求の範囲
【補正方法】変更
【補正の内容】
【特許請求の範囲】
【請求項１】
カメラを収納し前面窓を有するカメラケースにおいて、
前記前面窓上方のカバーと、
前記前面窓が取り付けられたカメラケースの板を貫通して回転可能な回転軸と、
該回転軸に回転駆動力を供給する回転機構と、
前記回転軸の回転駆動力により前記前面窓の表面を移動しながら払拭するワイパーブレードと該ワイパーブレードを支えるワイパーアームと、
前記ワイパーブレードと前記ワイパーアームとを所定の角度で往復運動させて前記前面窓を払拭させ、払拭停止時には前記ワイパーブレードと前記ワイパーアームとを前記前面窓の上方のカバーよりの位置に待機させるように前記回転機構を制御する制御回路とを有することを特徴とするカメラケース。
【請求項２】
回転軸を中心に所定角度内を往復回転させて前面窓の表面を払拭するワイパーブレードと、ワイパーブレードを支えるワイパーアームと回転部とを備えたワイパーにおいて、前記回転部が停止状態のときには、前記ワイパーブレードが前記前面窓に装着された日除けのためのカバー内に収納される位置に移動することを特徴とするワイパー。
【手続補正書】
【提出日】平成17年6月15日(2005.6.15)
【手続補正１】
【補正対象書類名】明細書
【補正対象項目名】特許請求の範囲
【補正方法】変更
【補正の内容】
【特許請求の範囲】
【請求項１】
撮像する対象物からイメージ・センサ素子上に集束された光に応じて、前記集束された光を画像データに変換するイメージ・センサ素子と、
前記イメージ・センサ素子からの選択した画像データを記憶し、さらに記憶された画像に関連するデータを記憶する記憶媒体と、
前記記憶媒体からの画像およびその関連データと、前記イメージ・センサ素子からの画像を表示する表示装置と、
ボタン上のユーザの指の接触に応じてタッチ信号を生成し、ユーザによる前記ボタンの操作に基づいて作動信号を生成するタッチセンス・シャッタ・ボタンと、
前記タッチ信号に応じて、前記イメージ・センサ素子からの画像を前記表示装置に表示させ、前記作動信号に応じて、前記イメージ・センサ素子からの画像データを前記記憶媒体に記憶させ、前記タッチ信号がないことに応じて、前記記憶媒体からの画像および／または関連するデータを前記表示装置に表示させるプロセッサと、
を含む電子画像作成装置。
【請求項２】
前記記憶画像に関連するデータが、メニュー・データを含む請求項１に記載の電子画像作成装置。
【請求項３】
前記表示装置が、液晶ディスプレイ（ＬＣＤ）である請求項１に記載の電子画像作成装置。
【請求項４】
前記イメージ・センサ素子が、ＣＣＤアレイである請求項１に記載の電子画像作成装置。
【請求項５】
前記メニュー・データにリストされた項目を選択するための少なくとも１つのナビゲーション・ボタンをさらに含む請求項２に記載の電子画像作成装置。
【請求項６】
捕捉しようとする画像をフレーミングするための光学ファインダと、
ファインダの近くにユーザの目があることを判定し、前記判定に応じてファインダ・センサ信号を作成するファインダ・センサとをさらに含み、
前記プロセッサが、前記ファインダ・センサ信号に応じて、前記表示装置の電源を切る請求項１に記載の電子画像作成装置。
【請求項７】
選択的に非活動化することができる表示装置を有する電子画像作成装置を操作する方法であって、
ユーザの指の接触に応じてタッチ信号を生成するタッチセンス・シャッタ・ボタンを提供する段階と、
前記タッチ信号に応じてイメージ・センサからの瞬間画像を前記表示装置に表示する段階と、
前記タッチ信号がない状態で、前記表示装置が活動化されているときに、前記装置の記憶媒体からのデータを表示する段階と、を含む方法。
【請求項８】
前記装置のファインダの近くにユーザの目があることを検出し、その検出に応じてファインダ・センサ信号を生成するファインダ・センサを提供する段階をさらに含み、
前記ファインダ・センサ信号に応じて前記表示装置を非活動化する段階と、を含む請求項７に記載の電子画像作成装置を操作する方法。
【請求項９】
前記表示装置が、タイムアウト期間の終了に従って選択的に非活動化される請求項７に記載の電子画像作成装置を操作する方法。
【請求項１０】
前記シャッタ・ボタンを押すことによる前記タッチセンス・シャッタ・ボタンの作動に基づいて、前記イメージ・センサからの画像データを前記記憶媒体に記憶させる段階をさらに含む請求項７に記載の電子画像作成装置を操作する方法。
【手続補正書】
【提出日】平成16年3月4日(2004.3.4)
【手続補正１】
【補正対象書類名】明細書
【補正対象項目名】０００３
【補正方法】変更
【補正の内容】
【０００３】
このようなバス制御テレビ受信機のブロック図を図５に示す。図５において、１はアンテナ、２はチューナ、３は中間周波回路、４は映像復調回路、５は表示素子、６は音声中間周波回路、７は音声処理回路、８はスピーカ、９は同期検出回路、１０はシステム制御マイコンである。


【手続補正２】
【補正対象書類名】明細書
【補正対象項目名】００２８
【補正方法】変更
【補正の内容】
【００２８】
図１において、１はアンテナ、２はチューナ、３は中間周波回路、４は映像復調回路、５は表示素子、６は音声中間周波回路、７は音声処理回路、８はスピーカ、９は同期検出回路、１０はシステム制御マイコン、１１は高周波トラップ回路である。ここに示すバス制御テレビ受信機において、アンテナ１で受信された高周波テレビ信号は、チューナ２で選局された後、中間周波回路３で増幅／検波されて複合映像信号として出力される。この複合映像信号は、映像復調回路４において色復調や信号処理が行われ、ＲＧＢの復調出力信号として出力される。このＲＧＢ信号は表示素子５に供給され、この表示素子５によって映像が再生表示される。また、複合映像信号に含まれる音声中間周波信号は、音声中間周波回路６において増幅／検波されて音声復調される。復調音声は、音声処理回路７において増幅制御され、スピーカ８で音声が再生される。更に、複合映像信号に含まれる同期信号は、同期検出回路９においてテレビ同期信号を検出し、システム制御マイコン１０に供給する。システム制御マイコン１０は、これを受けて、オートサーチ選局などにおいてテレビ信号の有無を判別し、有信号チャンネルの場合はサーチ動作を停止して、そのチャンネルを受信するようになっている。